(57)【要約】      （修正有）【課題】炭粉、鉱石粉の有する消臭・調湿機能を有効的に発揮できる炭粉入り樹脂発泡体を用いた帯状巻回体の提供。【解決手段】湿り気を有する粉末状の炭粉を用いることにより炭粉の吸湿作用を抑制して供給水分の度合いを維持して粉粒状の可塑性樹脂材１２との混合を良好にして発泡を促し、発泡された可塑性樹脂材１２に多数形成される細孔部分に炭粉、鉱石粉を露出させることができる炭粉入り樹脂発泡体１２を板状片１５とし、ペットの首や腕、腹、脚等の部位に周回して止着できる長さにして、板状片１５の表面部又は裏面部或いはその両方に保温機能を有する可撓性生地Ｋを被覆して、板状片１５と可撓性生地Ｋを縫製して一体化して巻回体ＷＫを形成し、該巻き回し体ＷＫの両端同士を止着する構成Ｂにして、アトピー性皮膚炎防止、消臭・調湿機能、ノミ、ダニ防止の効果を発揮することができる帯状巻回体ＷＫ。【選択図】図１
2016193167.tif 000002
【特許請求の範囲】
【請求項１】
湿り気を有する粉末状の炭粉と、粉末状の消臭・調湿機能を有する鉱石粉と、粉粒状の可塑性樹脂材と、水とを予め混合して流動性を確保した湿潤状態の混合物に形成し、該混合物を圧力下で更に混合・発熱・溶融した後、大気中に吐き出し、水発泡手段で発泡させる押出成形機にて連続紐状に成形し、該連続紐状に成形した炭粉入り樹脂発泡体の複数本を、並設連接して板状片に構成し、該炭粉入り樹脂発泡体の板状片を、首や腕、腹、脚などの部位に周回して止着できる長さにして、該板状片の表面部または裏面部またはその両方に保温機能を有する可撓性生地を被覆して、板状片と可撓性生地を縫製して一体化して巻回体を形成し、該巻き回し体の両端同士を止着する構成にしたことを特徴とする炭粉入り樹脂発泡体を用いた帯状巻回体。
【請求項２】
水以外を１００％とした場合、炭粉を３０％〜４０％と、鉱石粉を１０％〜２０％と、可塑性樹脂材を３５％〜４５％としてなることを特徴とする請求項１に記載の炭入り樹脂発泡体を用いた帯状巻回体。
【請求項３】
押出成形機のシリンダー内で発熱する混合物温度を１７０℃〜２１０℃として押出成形してなることを特徴とする請求項１または請求項２に記載の炭入り樹脂発泡体を用いた帯状巻回体。
【請求項４】
鉱石粉を、粉末状の福光石粉、ゼオライト粉のいずれか、若しくはこれらの混合物粉としたことを特徴とする請求項１、請求項２、請求項３のいずれかに記載の炭入り樹脂発泡体を用いた帯状巻回体。
【発明の詳細な説明】
【技術分野】
【０００１】  本発明は、人間用の首巻き、腹巻き、腕巻き、脚巻きや、犬、猫等の首輪、腹巻きなど動物用の帯状巻回体において、消臭・調湿機能を有する炭の粉体を保温機能を有する樹脂発泡体からなる帯状巻回体に設けたことを特徴とする、炭粉入り樹脂発泡体を用いた帯状巻回体に関する。
【背景技術】
【０００２】  従来、家庭で飼われる犬、猫等のペットには、ノミ、ダニ等の害虫が付着する場合が多く、それに対して、トルマリン鉱石の粉体、希土鉱石の粉体、炭の粉体、金属酸化物の粉体から選ばれた少なくとも１種を公知または市販のバインダーに混入させ、ペット用首輪の表面部または裏面部またはその両方にコーティングを施すものが特許文献１に示されるように提案されている。また、近年になってペット用首輪にノミ、ダニ等の害虫を駆除したり予防したりする機能を付与するために、ペット用首輪の内側に備長炭シートを縫い込んで、防臭効果やリラクゼーション効果、ダニ防止などに役立つものも市販されている。【０００３】  また、人体への炭の効果を検証する研究例として、ダニやカビなどをアレルゲンとするアトピー性皮膚炎の症状を、木炭で住宅の湿気を減らすことで軽減できるかどうかを比較研究する取り組みが、島根大医学部の皮膚科研究室（島根県出雲市）でなされた。この研究は、同研究室と住宅の湿気を取る調湿木炭を開発した出雲土建（同市）の共同研究で、２００３〜０４年に、島根県内の患者６人の住宅床下や天井などに調湿木炭を置いたところ、５人の症状の改善がみられたという。（２００５年１０月２５日：読売新聞から抜粋）【０００４】  その要因として、床下や天井裏に「調湿木炭」を敷くと、「調湿木炭」が床下や天井裏を除湿し、さらに家全体の湿度を適切に保つように働き、カビやダニが繁殖しにくい環境を作り、結果的にアレルゲンを室内から減らすことが可能になるといわれるという。島根大学医学部との共同研究では、アトピー性皮膚炎患者６名の住まいに「調湿木炭」を敷設して推移を１０カ月観察したところ、６名中５名に皮膚症状の顕著な改善がみられたという。確認されたその効果は、２００５年、第３５回日本皮膚アレルギー学会で、調湿木炭がアトピー性皮膚炎など環境抗原アレルギーに及ぼす効果への研究として「木炭敷設が有用である可能性が示された」と発表された。【０００５】このように、炭の効用が見直されており、人間用の首巻き、腹巻き、腕巻き、脚巻きや、犬、猫等の首輪（首巻き）、腹巻きなどに炭を入れておくとアトピー性皮膚炎の症状改善、防臭効果やリラクゼーション効果、ダニ防止などに効用が期待され、本発明では、動物用の帯状巻回体に炭を応用するに際して、炭入りの樹脂発泡材として、本発明者が開発してなる特許文献１に示される炭粉入り樹脂発泡体を基幹部材にして用途発明をなして帯状巻回体に使用するものである。
【先行技術文献】
【特許文献１】特開２００２−１１９１６７号公報
【特許文献２】特許第５２８２８９２号公報
【発明の概要】
【発明が解決しようとする課題】
【０００６】  特許文献１のものは、従来のペット用首輪に、トルマリン鉱石の粉体、希土鉱石の粉体、炭の粉体、金属酸化物の粉体から選ばれた少なくとも１種を公知または市販のバインダーに混入させ、ペット用首輪の表面部または裏面部またはその両方にコーティングを施すだけのものであり、長期間の使用によりコーティングが剥離して効用が低下する恐れがあるとともに首輪による保温機能は有しないものである。
特許文献２には、図９に、該板状片１５の片面若しくは両面に表面に複数本の樹脂発泡材１２に架橋される不織布などの薄生地材１６を貼り付け形成することにより、板状片１５の並設連接構成の連接状態を維持して、壁材や靴内の下敷きなど各種の製品形態に加工して活用することが示されているが、帯状巻回体に応用されたものは示されていない。【０００７】  本発明が前述の状況に鑑み、解決しようとするところは、炭粉入り樹脂発泡体を基幹部材にして用途発明をなして炭の効用活用と保温機能を併せ持つ炭粉入り樹脂発泡体を用いた帯状巻回体を提供する点にある。
【課題を解決するための手段】
【０００８】  本発明は、前述の課題解決のために、第一に、湿り気を有する粉末状の炭粉と、粉末状の消臭・調湿機能を有する鉱石粉と、粉粒状の可塑性樹脂材と、水とを予め混合して流動性を確保した湿潤状態の混合物に形成し、該混合物を圧力下で更に混合・発熱・溶融した後、大気中に吐き出し、水発泡手段で発泡させる押出成形機にて連続紐状に成形し、該連続紐状に成形した炭粉入り樹脂発泡体の複数本を、並設連接して板状片に構成し、該炭粉入り樹脂発泡体の板状片を、首や腕、腹、脚などの部位に周回して止着できる長さにして、該板状片の表面部または裏面部またはその両方に保温機能を有する可撓性生地を被覆して、板状片と可撓性生地を縫製して一体化して巻回体を形成し、該巻き回し体の両端同士を止着する構成にして炭粉入り樹脂発泡体を用いた帯状巻回体を得ることを特徴とする。【０００９】  従って、湿り気を有する粉末状の炭粉を用いることにより粉粒状の可塑性樹脂材との混合を良好にして混合物の円滑な発泡を促し、かつ発泡された炭粉入り樹脂発泡体に多数形成される細孔と、炭粉、鉱石粉の有する消臭・調湿機能の相乗作用とが相俟って、より効果的な消臭・調湿機能を発揮させ、保温機能を有する可撓性生地を被覆して一体化することにより、機能的に優れた炭粉入り樹脂発泡体を用いた帯状巻回体を得ることができる。【００１０】  第二に、重量比で、水以外を１００％とした場合、炭粉を３０％〜４０％と、鉱石粉を１０％〜２０％と、可塑性樹脂材を３５％〜４５％としてなることを特徴とし、炭粉の機能を有機的に充分に活用できてさらに効果に優れた炭粉入り樹脂発泡体を用いた帯状巻回体を得ることができる。【００１１】  第三に、押出成形機のシリンダー内で発熱する混合物温度を１７０℃〜２１０℃として押出成形してなることを特徴とし、これにより良好な押し出し成形と樹脂発泡ができて、機能性に優れた炭粉入り樹脂発泡体を用いた帯状巻回体を得ることができる。【００１２】  第四に、鉱石粉を、粉末状の福光石粉、ゼオライト粉、ベントナイト粉のいずれか、若しくはこれらの混合物粉としたことを特徴とし、これによりする消臭・調湿機能を有する福光石や、ゼオライトの機能を有効に活用することができる炭粉入り樹脂発泡体を用いた帯状巻回体を得ることができる。
【発明の効果】
【００１３】  請求項１の発明によれば、湿り気を有する粉末状の炭粉を用いることにより炭粉の吸湿作用を抑制して供給水分の度合いを維持して粉粒状の可塑性樹脂材との混合を良好にして混合物の円滑な発泡を促し、かつ発泡された可塑性樹脂材に多数形成される細孔と、該細孔部分に炭粉、鉱石粉を露出させることができて、この結果、炭粉、鉱石粉の有する消臭・調湿機能を有効的に発揮させることができて、これらにより炭粉入り樹脂発泡体に多数形成される細孔と、炭粉、鉱石粉との相乗作用とが相俟って、より効果的な消臭・調湿機能、浄化機能を発揮することができる。そして、保温機能を有する可撓性生地を被覆して一体化することにより、人やペットのアトピー性皮膚炎の症状改善、防臭効果やリラクゼーション効果、ダニ防止などに効用が期待され、機能的に優れた炭粉入り樹脂発泡体を用いた帯状巻回体を得ることができる。【００１４】  請求項２の発明によれば、可塑性樹脂材を３５％〜４５％として石油製品が半分以下となるように環境問題に対して配慮をすることができ、さらに炭粉を３０％〜４０％とにして、炭粉の有する消臭・調湿機能を有効的に充分に活用することができ、さらに鉱石粉を１０％〜２０％とにすることで、鉱石粉の有する消臭・調湿機能も有効的に発揮させることも可能で、炭粉入り樹脂発泡材の発泡に伴う膨張形態により緩衝材やクッション材としての機能を活かしつつ、保温機能を有する可撓性生地を被覆して一体的に縫製することにより炭粉の機能を有機的に充分に活用できてさらに効果的に人やペットのアトピー性皮膚炎の症状改善、防臭効果やリラクゼーション効果、ダニ防止などに効用が期待される。【００１５】  請求項３の発明によれば、可塑性樹脂材が溶ける温度が１５０℃以上、炭が燃焼気化する温度が２２０℃であることを考慮して、押出成形機のシリンダー内で押し出しスクリューに押し出される際に自発熱する混合物温度を１７０℃〜２１０℃の範囲となるように押し出しスクリューの回転を低速制御にして、適正な押し出し速度として炭粉入り可塑性樹脂体を円滑に押出成形することができて、これにより良好な押し出し成形と樹脂発泡ができる。したがって、この樹脂発泡体に保温機能を有する可撓性生地を被覆して一体的に縫製することにより炭粉の機能を有機的に充分に活用できてさらに効果的に人やペットのアトピー性皮膚炎の症状改善、防臭効果やリラクゼーション効果、ダニ防止などに効用が期待される。【００１６】  請求項４の発明によれば、鉱石粉を、島根県大田市仁摩町付近から産出される消臭・調湿機能に優れる福光石を粉末状として使用し、さらに島根県内の各所より産出される消臭・調湿機能に定評のある天然ゼオライトやベントナイトを粉末状として使用することにし、これら福光石粉とゼオライト粉、ベントナイト粉のいずれか、若しくはこれらの混合物粉として使用することにより、島根県産の地域資源として有効な消臭・調湿機能に優れた福光石や、ゼオライトの機能を有効に活用することができる。
【図面の簡単な説明】
【００１７】
【図１】ペット用首輪の基本例を示す全体斜視図である。
【図２】ペットに応用した首輪や腹巻きの装着例を示す説明図である。
【図３】ペット用首巻きの止着状態の実施態様を示す斜視図である。
【図４】ペット用首巻きの開放状態の実施態様を示す斜視図である。
【図５】ペット用首巻きの要部の実施態様を示す要部拡大説明図である。
【図６】ペット用腹巻きの止着状態の実施態様を示す斜視図である。
【図７】ペット用腹巻きの開放状態の実施態様を示す斜視図である。
【図８】ペット用腹巻きの要部の実施態様を示す要部拡大説明図である。
【図９】ペットに首巻きと腹巻きを装着した使用例の説明図である。
【図１０】ペットに首巻きと二箇所の腹巻きを装着した使用例の説明図である。
【図１１】本発明の炭粉入り樹脂発泡体のガス吸着性能を示す説明図である。
【図１２】本発明の炭粉入り樹脂発泡体の性能比較を示す説明図である。
【図１３】本発明の炭粉入り樹脂発泡体のイオン密度性能を示す説明図である。
【図１４】ミキサー装置と押出成形装置を示す概略説明図である。
【図１５】押出成形装置の形態を示す概略説明図である。
【図１６】炭粉入り樹脂発泡体の概略斜視図である。
【図１７】炭粉入り樹脂発泡体の要部拡大図である。
【図１８】炭粉入り樹脂発泡体の板状片を示す概略斜視図である。
【図１９】ペット用首巻きの要部の縫製態様を示す要部拡大説明図である。
【図１９】ペット用腹巻きの要部の縫製態様を示す要部拡大説明図である。
【発明を実施するための形態】
【００１８】  以下に具体的な実施形態例を説明するに先だって、本発明に係る帯状巻回体の基幹部材となる炭粉入り樹脂発泡体の製造について、本発明者が開発した特許第５２８２８９２号の明細書および図面の記載に準じて説明する。
図１４は押し出し成形装置１の概略説明図である。同図において符号２はスクリューケース等の搬送通路を示している。この搬送通路２内には、中空な筒状の空間が形成されており、この搬送通路２の軸方向の一端（搬送方向下手側）にダイス３が設けられている。図１５（Ａ）に示すようにダイス３には複数のダイス孔３ａが穿設されている。なお、このダイス孔はダイスの中央に一個でも良い。また、ダイスの形態を図１５（Ｂ）に示すように末広がり状に形成した通路４ａにして、複数のダイス孔４ｂを横に連接した配列となしてダイスの出口４ｃで合流するようにしてもよい。ダイス孔の直径サイズは３ミリを標準として、製品形態に応じて各種のダイスを用意して交換着脱にするものである。
【００１９】  上記押出成形装置１の搬送通路２の空間には、搬送手段５のストレートスクリュー６が１軸若しくは２軸配設されており、このストレートスクリュー６の基端は、減速機７を介してモーター等の駆動源８に連結されている。
また、搬送通路２には、成形材料を搬送通路２内に供給するホッパー９が設けられており、ホッパー９内部の空間と搬送通路２内の空間が連通されている。
以上のごとき構成であるから、ホッパー９を通して、流動性を有する成形材料を搬送通路２に供給し、搬送手段５の駆動源８を作動させれば、ストレートスクリュー６が回転して成形材料は加圧されながらダイス３に向かって搬送される。すると成形材料は、ダイス３の孔と同一断面に成形されてダイス３の出口から排出されるから、所定の断面形状を有する成形体を形成することができる。
なお、上述した例では、ホッパー９を通して成形材料を搬送通路２内に供給する場合を説明したが、搬送通路２内に成形材料を供給する方法は特に限定されない。
さらになお、ダイス３の出口から所定の長さだけ排出された成形材料を切断手段によってダイス３の出口表面と平行な方向に沿って切断すれば、所定の長さ、所定の断面形状を有する粒状体を製造することも可能である。
【００２０】  ホッパー９には予めミキサー装置１１で混合した成形材料を供給する。本発明の実施態様では、水以外を１００％とした場合、水分含有率を２０％くらいとした湿り気を有する粉末状の炭粉（木炭、若しくは竹炭）Ｃを３０％〜４０％と、粉末状の消臭・調湿機能を有する鉱石粉（島根県産の福光石、天然ゼオライト、又はベントナイトのいずれか、若しくはこれらの適宜組み合わせ混合物）Ｋを１０％〜２０％と、粉粒状の可塑性樹脂材（ポリプロピレン、グリーンチョイス（生分解性樹脂））Ｐを３５％〜４５％として、ミキサー装置１１内に入れてミキサー１０で攪拌し、水を混合物全体に対して１０％〜１５％入れて混合してサラサラ状で流動性を確保した湿潤状態の混合物に形成する。
このように、予め混合してサラサラと流れる程度に流動性を確保した湿潤状態の成形材料の混合物を、ホッパー９を通して成形材料を搬送通路２内に供給するとストレートスクリュー６の搬送力を受ける圧力下で更に混合・発熱・溶融した後、ダイス３の孔出口から大気中に吐き出されて、水発泡手段で発泡されて押出成形機１にて成形材料が連続紐状に発泡成形されて膨軟で柔らかくクッション性を有してかつ撓み可能な炭粉入り樹脂発泡体１２が成形される。
【００２１】  上記のように、湿り気を有する粉末状の炭粉Ｃを用いることにより、ミキサー装置１１内および搬送通路２内での炭粉Ｃの水分吸湿作用を抑制して当初設定した混合成形に必要な供給水分の度合いを維持して粉粒状の可塑性樹脂材（ポリプロピレン）Ｐとの混合を良好にして混合物の円滑な発泡を促し、かつ発泡された炭粉入り樹脂発泡体１２に発泡時の気泡跡として多数形成される細孔１３と、該細孔１３部分に炭粉Ｃ、鉱石粉Ｋを露出させることができ、この結果、炭粉Ｃ、鉱石粉Ｋの有する消臭・調湿機能を有効的に発揮させることができて、これらにより炭粉入り樹脂発泡体１２に多数形成される細孔１３と、炭粉Ｃ、鉱石粉Ｋとの相乗作用とが相俟って、より効果的な消臭・調湿機能、浄化機能を発揮し、また炭粉入り樹脂発泡材１２の発泡構成により、断熱・防音機能を発揮することができる。
【００２２】  地球環境維持の観点から、可塑性樹脂材Ｐを３５％〜４５％として石油製品が半分以下となるように環境問題に対して配慮をすることができ、さらに炭粉Ｃを３０％〜４０％とにして、炭粉Ｃの有する消臭・調湿機能を有効的に充分に活用することができ、さらに鉱石粉Ｋを１０％〜２０％とにすることで、鉱石粉Ｋの有する消臭・調湿機能も有効的に発揮させることができ、炭粉入り樹脂発泡体１２の発泡に伴う膨張形態により緩衝材やクッション材としての機能を有して、これらにより炭粉Ｃの機能を有機的に充分に活用できてさらに効果的な消臭・調湿機能、浄化機能、断熱・防音機能を発揮することができる。
鉱石粉Ｋは、島根県大田市仁摩町付近から産出される消臭・調湿機能に優れる福光石を粉末状として使用し、更に島根県内の各所より産出される消臭・調湿機能に定評のある天然ゼオライトを粉末状として使用することにし、これら福光石粉とゼオライト粉のいずれか、若しくはこれらの混合物粉として使用することで、島根県産の地域資源として有効な消臭・調湿機能に優れた福光石や、ゼオライトの機能を有効に活用することができる。
【００２３】  前記の押出成形機１の搬送通路（シリンダー）２内で発熱する成形材料の混合物温度を１７０℃〜２１０℃として押出成形するものである。これは、可塑性樹脂材としてのポリプロピレンＰが溶ける温度が１５０℃以上、炭Ｃが燃焼気化する温度が２２０℃であることを考慮して、押出成形機のシリンダー２内で押し出しスクリュー６で押し出される際に自発熱する混合物温度を１７０℃〜２１０℃の範囲となるように押し出しスクリューの回転を低速制御にして、適正な押し出し速度として炭粉入り可塑性樹脂材Ｐを円滑に押出成形することができて、これにより良好な押し出し成形と樹脂発泡ができる。
また、炭粉Ｃや鉱石粉Ｋの影響で押し出し抵抗が大なる時には、流動促進材として成形材料に環境面に良い植物油を少量添加しておくと良い。
【００２４】  図１５（Ｂ）のダイスによると、末広がり状に形成した通路４ａに押出成形機のシリンダー２内から押し出しスクリュー６で成形材料が押し出され、次に横方向に連接した配列となした複数のダイス孔４ｂに押し込まれて、ダイスの出口４ｃで発泡されて紐状になり、その後、紐状の各発泡材がダイスの出口４ｃで圧力を受けながら合流するので、連続紐状に成形した炭粉入り樹脂発泡材１２の複数本が、樹脂発泡直後の熱溶着作用を利用することによりダイスの出口４ｃで圧力をかけながら合流接合して並設連接された板状片に構成る。この板状片１５の形態を図１８に示す。この板状片１５は炭粉入り樹脂発泡材１２で構成されているので膨軟で柔らかくクッション性を有してかつ撓み可能なものである。それが故に、この板状片１５で構成されたものは人体やペットの身体に直接触れても肌当たりがよいものである。また炭粉は樹脂発泡体と一体になっているので飛散したり他物を汚したりすることもない。
【００２５】  図１９は、該炭粉入り樹脂発泡体１２を連接結合してなる板状片１５の表面部片面に保温機能を有する可撓性生地（空気流通できる平板状の布生地、繊維生地）Ｋを被覆して、縁取りを被覆するのに可撓性生地Ｋを延長して板状片１５の縁を囲撓する構成にして、これらをミシン縫いＭで縫製して、板状片１５の並設連接構成の連接状態を維持して、身体面に炭粉入り樹脂発泡体１２を露出対面させる構成にしたものである。
図２０は、該炭粉入り樹脂発泡体１２を連接結合してなる板状片１５の表面部に保温機能を有する可撓性生地（空気流通できる平板状の布生地、繊維生地）Ｋを被覆して、縁取りを可撓性生地を延長して板状片１５の縁を囲撓する構成にしてミシン縫いＭで縫製し、更に板状片１５の裏面部に可撓性生地（空気流通できる平板状の布生地、繊維生地）Ｋを被覆して、結果的に板状片１５の表面部と裏面部の両面に可撓性生地Ｋ，Ｋを被覆する形態でミシン縫いＭで縫製し、これにより板状片１５の並設連接構成の連接状態を維持して、身体面に炭粉入り樹脂発泡体１２を露出対面させない形態の構成にしたものである。
【００２６】  図１に示すものは、上記図１９のものを応用して製造した炭粉入り樹脂発泡体を用いた帯状巻回体で、ペット用首輪ＷＫの基本例を示す全体斜視図である。
炭粉入り樹脂発泡体１２を連接結合してなる板状片１５の表面部に保温機能を有する可撓性生地Ｋが一体的に縫製されてペット用首輪ＷＫが構成されており、ペット用首輪ＷＫの両端部はバックルＢで着脱固定自在に止着されている。
図２に示すものは、上記のペット用首輪ＷＫや、上記図２０の構成からなる腹巻きＷＨの装着例を示すものである。
【００２７】  図３〜図５には、上記図１９のものを応用して製造した炭粉入り樹脂発泡体を用いた帯状巻回体の一例として、ペット用首巻きの実施態様を示している。
炭粉入り樹脂発泡体１２を連接結合してなる板状片１５の表面部に保温機能を有する可撓性生地（布生地）Ｋが一体的に縫製されて帯状巻回体としてのペット用首巻きＷＫが構成されており、ペット用首巻きＷＫの両端部において、一方の表面側と他方の裏面側にそれぞれ面状ファースナーＦ，Ｆが縫製貼着されており、この一対の面状ファースナーを接合させることにより、該巻回体（ペット用首巻きＷＫ）の両端同士を着脱固定自在で周回長さを調節固定可能に止着する構成にしてペットの首に巻き付ける。
【００２８】  図６〜図８には、上記図２０のものを応用して製造した炭粉入り樹脂発泡体を用いた帯状巻回体の一例として、ペット用腹巻きの実施態様を示している。
炭粉入り樹脂発泡体１２を連接結合してなる板状片１５の表面部と裏面部の両面に保温機能を有する可撓性生地（布生地）Ｋ、Ｋが一体的に縫製されて帯状巻回体としてのペット用腹巻きＷＨが構成されており、ペット用腹巻きＷＨの両端部において、一方の表面側と他方の裏面側にそれぞれ面状ファースナーＦ，Ｆが縫製貼着されており、この一対の面状ファースナーＦ，Ｆを接合させることにより、該巻回体（ペット用腹巻きＷＨ）の両端同士を着脱固定自在で周回長さを調節固定可能に止着する構成にしてペットの首に巻き付ける。
【００２９】  図９に、ペット（犬）Ｐに、首巻きＷＫと腹巻きＷＨを装着した使用例を説明している。図１０に、ペット（犬）Ｐに、首巻きＷＫと腹巻きＷＨを腹部と臀部廻りに装着した使用例を説明している。これらの犬は、ノミ、ダニ等に悩まされ、アトピー性皮膚炎の兆候を有しており、手足で掻きむしる傾向が頻繁に見られていたが、本発明による炭粉入り樹脂発泡体を用いた帯状巻回体（首巻きＷＫと腹巻きＷＨ）を装着したところ、ノミが逃げ出したようであり、アトピー性皮膚炎の症状も改善する傾向がみられて、ペット用の動物医師（動物病院の獣医師）からも、早く商品化して発売して欲しいと切望されている。
本発明の実験例でも、図９および図１０の犬は、アトピー性皮膚炎で患部を四六時中かき回っていた状態であったが、本発明による炭粉入り樹脂発泡体を用いた帯状巻回体の効果を実証するが如くに、ノミの被害が無くなり、アトピー性皮膚炎も改善されて、リラクゼーション効果を感じて気持ちよく休んでおり、体臭も消臭される傾向に見られる。また、可撓性生地で柔らかく身体を抱持する感じに巻き回すので身体の体熱を保温する効果も相俟って余計に安らかに安眠している。
【００３０】  図１１に、本発明の炭粉入り樹脂発泡体のガス吸着性能を示しており、優れた消臭（防臭）効果を有することが実証される。
また、図１２と図１３には、本発明の炭粉入り樹脂発泡体のイオン密度性能を示す実証例を示しており、図１２の無処理の比較例に比して、図１３で本発明の炭粉入り樹脂発泡体（試験ではスミーダと呼称していた）を壁に貼り付け使用した〈壁スミーダ貼り〉ものが、優れたイオン特性（マイナスイオン放出特性）を有していることが実証される。
（安田女子大学・広島大学非常勤講師  金堀一郎先生  測定検証）
マイナスイオンでシックハウスの症候を改善する試みが注目を集めており、粉末木炭を塗布化した壁紙（粉末木炭を下地塗りして上に麻布の二重張りをした壁紙）は、吸湿した水分を除湿するときにマイナスイオンを放出し、ホルムアルデヒドを減少させることが実証されている。
【００３１】  （社）電気通信学会の発表例で、マイナスイオン環境では、微生物の殺菌やカビの増殖を抑制することが知られている。（「居住家屋内のマイナスイオン環境におけるダニ数定量の増減」玉川大学工学部  電子工学科  菅原研究所）、また、マイナスイオン環境に比べて空気プラスイオン環境ではラットの生体中の血糖値や乳酸値が有意に高くなり、空気プラスイオン環境はマイナスイオン環境に比べ、生体に良くないとことが示唆された。（「空気イオン環境の違いによるラットの生体中の血糖値と乳酸値への影響」玉川大学工学部電子工学科  菅原研究所）
特許文献１の明細書にも説明されているが、マイナスイオンが放出されることによって、ペットの体に寄生しているノミやダニ等の害虫を駆除し、防除することが可能となる。また、マイナスイオンの消臭効果により、ペットの臭いが軽減され、さらにペットがマイナスイオンを吸入すると血液を介して全身の細胞を活性化させることでペットの健康維持や健康増進はもちろんのこと、飼い主や周囲の環境にも良い影響を与える。というものであり、本発明による炭粉入り樹脂発泡体を用いた帯状巻回体もこの効果を有するものである。
【００３２】  本発明による炭粉入り樹脂発泡体を用いた帯状巻回体は、これを形成する板状片１５が炭粉入り樹脂発泡材１２で構成されているので膨軟で柔らかくクッション性を有してかつ撓み可能なものである。それが故に、この板状片１５で構成されたものは人体やペットの身体に直接触れても肌当たりがよいものである。また炭粉は樹脂発泡体と一体になっているので飛散したり他物を汚したりすることもない。そして、マイナスイオンの発生効果などを内在しているものであり、本発明によれば、アトピー性皮膚炎の症状改善、防臭効果やリラクゼーション効果、ダニ防止などが図られる。また、本発明の説明ではペット用の用途を主体に説明したが、人間用としても同様の効果を有するものである。人間用やペット用として、炭粉入り樹脂発泡体の板状片の長さは、対象とする首や腕、腹、脚などの部位に周回して止着できる長さにして構成するものである。
人への使用例として、本発明による炭粉入り樹脂発泡体を用いた帯状巻回体を腹巻きカイロとして使用された主婦の実証例として、１０年来ほぼ毎日だった下痢が殆どなくなったとのこと。また、逆流性食道炎の症状で腸にガスが異常にたまりお腹の張りと強烈なおならに悩んでいたが、腹巻きカイロを使用してからお腹の張りが激減したとのこと。など本発明による炭粉入り樹脂発泡体の改善効果が実証されている。
【産業上の利用可能性】
【００３３】  本発明による炭粉入り樹脂発泡体を用いた帯状巻回体により、人間用の首巻き、腹巻き、腕巻き、脚巻きや、犬、猫等の首輪、腹巻きなど動物用の帯状巻回体に利用できる。
【符号の説明】
【００３４】１  押出成形装置
１２  炭粉入り樹脂発泡体
１５  板状体
Ｃ  炭粉
Ｋ  鉱石粉
Ｐ  可塑性樹脂材
Ｋ  可撓性生地
Ｍ  ミシン縫い部
ＷＫ  首巻き
ＷＨ  腹巻き
Ｆ  面状ファースナー
【図１】
2016193167.tif 000003
【図２】
2016193167.tif 000004
【図３】
2016193167.tif 000005
【図４】
2016193167.tif 000006
【図５】
2016193167.tif 000007
【図６】
2016193167.tif 000008
【図７】
2016193167.tif 000009
【図８】
2016193167.tif 000010
【図９】
2016193167.tif 000011
【図１０】
2016193167.tif 000012
【図１１】
2016193167.tif 000013
【図１２】
2016193167.tif 000014
【図１３】
2016193167.tif 000015
【図１４】
2016193167.tif 000016
【図１５】
2016193167.tif 000017
【図１６】
2016193167.tif 000018
【図１７】
2016193167.tif 000019
【図１８】
2016193167.tif 000020
【図１９】
2016193167.tif 000021
【図２０】
2016193167.tif 000022
【手続補正書】
【提出日】平成27年7月7日(2015.7.7)
【手続補正１】
【補正対象書類名】明細書
【補正対象項目名】００１７
【補正方法】変更
【補正の内容】
【００１７】
【図１】ペット用首輪の基本例を示す全体斜視図である。
【図２】ペットに応用した首輪や腹巻きの装着例を示す説明図である。
【図３】ペット用首巻きの止着状態の実施態様を示す斜視図である。
【図４】ペット用首巻きの開放状態の実施態様を示す斜視図である。
【図５】ペット用首巻きの要部の実施態様を示す要部拡大説明図である。
【図６】ペット用腹巻きの止着状態の実施態様を示す斜視図である。
【図７】ペット用腹巻きの開放状態の実施態様を示す斜視図である。
【図８】ペット用腹巻きの要部の実施態様を示す要部拡大説明図である。
【図９】ペットに首巻きと腹巻きを装着した使用例の説明図である。
【図１０】ペットに首巻きと二箇所の腹巻きを装着した使用例の説明図である。
【図１１】本発明の炭粉入り樹脂発泡体のガス吸着性能を示す説明図である。
【図１２】本発明の炭粉入り樹脂発泡体の性能比較を示す説明図である。
【図１３】本発明の炭粉入り樹脂発泡体のイオン密度性能を示す説明図である。
【図１４】ミキサー装置と押出成形装置を示す概略説明図である。
【図１５】押出成形装置の形態を示す概略説明図である。
【図１６】炭粉入り樹脂発泡体の概略斜視図である。
【図１７】炭粉入り樹脂発泡体の要部拡大図である。
【図１８】炭粉入り樹脂発泡体の板状片を示す概略斜視図である。
【図１９】ペット用首巻きの要部の縫製態様を示す要部拡大説明図である。
【図２０】ペット用腹巻きの別態様の要部の縫製態様を示す要部拡大説明図である。